(57)【要約】本発明は、小さい導電性トラックを基板上に生成する為の非接触方法を提供することを目的とする。この目的の為に、選択的な材料堆積の為の方法であって、第１の材料を基板に堆積させることと、引き続き、１以上のエネルギービームにより、第１の固化パターンで選択的に該第１の材料を固化することと、引き続き、タイミング、エネルギー及び強度において制御された大面積フォトニック曝露により、該基板から固化されていない材料を取り除いて、該第１の材料の該第１の固化パターンを残すことを含む上記方法が提供される。【選択図】なし【特許請求の範囲】
【請求項１】
選択的な材料堆積の為の方法であって、
第１の材料を基板上に堆積させることと、引き続き、
１以上のエネルギービームにより、第１の固化パターンで選択的に該第１の材料を固化することと、引き続き、
タイミング、エネルギー及び強度において制御された大面積フォトニック曝露により、該基板から固化されていない材料を取り除いて、該第１の材料の該第１の固化パターンを残すこと
を含む、前記方法。
【請求項２】
大面積フォトニック曝露により該基板から該固化されていない材料を取り除く前に、１以上のエネルギービームにより、第２の固化パターンで選択的に該第１の材料を固化することを含み、上記第２の固化パターンが、該第１の固化パターンに相補的であり、且つ取り除かれるときに固化されていない材料をばらばらにするように構築されている、請求項１に記載の方法。
【請求項３】
該第２の固化パターンが、連続的な線、破線、又は点線によって形成される固化部を含む、請求項２に記載の方法。
【請求項４】
該第１の固化パターンと該第２の固化パターンとの間の最小距離が、５〜２５０ミクロンである、請求項２又は３に記載の方法。
【請求項５】
該第２の固化パターンが、該第１のパターンから離れる方向において、少なくとも５０ミクロンにわたる固化されていない材料に面する固化部だけを含む、請求項２〜４のいずれか１項に記載の方法。
【請求項６】
該第１の固化パターンが、固化されていない材料を該基板から取り除く間に縁にかかる力を平均化する為のノッチを有する縁を備えている、請求項１〜５のいずれか１項に記載の方法。
【請求項７】
該第１の固化パターンが、縁部分とコア部分とを備え、該縁部分が、所望の固化パターンの該コア部分よりも永く、該１以上のエネルギービームに曝露されて、該第１の固化パターンが該縁部分において強化される、請求項１〜６のいずれか１項に記載の方法。
【請求項８】
該固化されていない材料を取り除いた後に、該第１の材料の該固化したパターンを焼結することをさらに含む、請求項１〜７のいずれか１項に記載の方法。
【請求項９】
該大面積フォトニック曝露が、複数の短いエネルギーパルスによって実行される、請求項１〜８のいずれか１項に記載の方法。
【請求項１０】
該大面積フォトニック曝露が、３〜５０ｋＷ／ｃｍ２のエネルギー密度を有するフラッシュシステムによって生成される、請求項１〜９のいずれか１項に記載の方法。
【請求項１１】
該第１の材料がバルクで堆積される、請求項１〜１０のいずれか１項に記載の方法。
【請求項１２】
該第１の材料が、非接触堆積技法を使用して選択的に堆積される、請求項１〜１１のいずれか１項に記載の方法。
【請求項１３】
該堆積技法が液滴堆積技法である、請求項１〜１２のいずれか１項に記載の方法。
【請求項１４】
該エネルギービームが、３００〜１２００ナノメートルの波長を有するレーザによって生成される、請求項１〜１３のいずれか１項に記載の方法。
【請求項１５】
該１以上のエネルギービームが、１以上の可動ミラーによって該基板に方向付けられる、請求項１〜１４のいずれか１項に記載の方法。
【発明の詳細な説明】
【技術分野】
【０００１】
本発明は、微細な線及びパターンを生成し且つ焼結する為の高められた方法及び装置に関する。
【背景技術】
【０００２】
基板上に微細な線を生成する為の幾つかの方法が存在する。これらの方法は、２つの主なカテゴリーにさらに再分化されることができる：接触ベースの堆積方法及び非接触ベースの堆積方法。典型的には、導電性ペーストの印刷が接触方法に基づく。例えば（回転）スクリーン印刷は、導電性ペーストの印刷を含む。非常に高い解像度（但し、それでもなお＞２０μｍ）が実現されることができるが、この方法は、スクリーンを表面に接触させることを必要とする。しかしながら、様々なデバイススタックは、バリアスタックを含んでいることから、接触を可能にしないことがありうる。従って、パターニングされた構造を提供する為の非接触方法が望まれている。例えば、インクジェット印刷は非接触であるという利点を有する。しかしながら、ノズルサイズが、導電性インクの使用可能な粒子サイズを制限し、且つ最大解像度が、拡散（低粘度）及び液滴サイズによって影響される。幅広い粘性を持つ材料からの、大面積構造の高速（且つ非接触）の高解像度（＜１０μｍ）パターニング化に対する改善された制御が依然として望まれている。
【０００３】
"Three-Dimensional  Printing  of  Interconnects  by  Laser  Direct-Write  of  Silver  Nanopastes"  Pique  et  al，Advanced  Materials  Volume  22，Issue  40，pages  4462-4466，October  25，2010において、ベアダイのＬＥＤ向けの電気的なワイヤボンディング相互接続の代替方法を提供する為に、基板に転写される溶媒系の、乾燥ナノ銀ペーストのレーザ直接書込み方法が示されている。この直接書込みのレーザ技法は、様々な材料を基板上に転写することができ、レーザ誘起前方転写（ＬＩＦＴ：Laser-Induced  Forward  Transfer）としても知られている。ＬＩＦＴは、レーザパルスを使用して、小容量の材料をドナーフィルムからアクセプタ基板上に転写する。ドナー基板は、薄い材料フィルムでコーティングされており、且つレーザビームは、該ドナー基板／フィルムの境界に方向付けられる。パルスの持続期間を通じて、レーザエネルギーがレーザスポットにおいて境界面内に堆積し、少量の材料を気化させ、それによって該ドナーフィルムの非気化部分を該アクセプタ基板に向けて押し付け且つ加速させる。
【０００４】
欧州特許第２８８３７０９号明細書は、ＬＩＦＴに類似した方法を記載しているが、該明細書においてドナー材料がフラッシュによって転写される。該フラッシュは、マスクを使用することによって該ドナー材料に選択的に向けられて、転写の望まれないドナー材料にフラッシュエネルギーが到達することを防ぐ。均一な転写を得る為に、材料の転写領域は、個々のラスター要素にさらに再分化される。
【０００５】
該記載されているＬＩＦＴ方法は、小さい導電性トラックを生成できるが、生成の精度は、ドナー表面から材料が移動される方法、及び移動された材料が、該導電性トラックが形成されることになる基板にどのように衝突するかに依存している。初期の移動中、飛行中、並びに衝突中に、ありうる不安定さがドナー材料の方向を変更させ、且つ生成されるトラックを不完全にしうる。堆積される材料がまた、強いエネルギーパルスを受け、且つ潜在的に劣化し、それによって材料の性能を低下させる。
【０００６】
米国特許第２００９０１３０４２号明細書は、集束されたレーザビームが、ドナー材料の層で覆われたドナー基板上で走査されて、残ったドナー材料から形成された所望の印刷構造を上記ドナー基板に残すパターニング方法に関する。
【０００７】
国際公開第２０１３／０２４２８０号パンフレットは、所望の印刷構造を残すように表面のインクが除去されるＬＩＦＴベースのパターニング方法を開示する。該印刷構造を形成した後、該インクは変質して、金属構造、例えば導電性トラック、を形成する。米国特許第２００９０１３０４２号明細書と同様に、トラックは、該トラックの両側に沿ってレーザが二重に通過することによって画成され、それにより、生成されたトラックの精度は、レーザの位置合わせ、及び／又は表面から材料が移動される方法に依存し、微細な導電性トラックを形成する能力を限定する。集束されたレーザビームの走査はさらに、特に該基板の広い領域にわたりドナー材料を取り除く必要のあるパターンを印刷する為に、処理スピードを制限する。
【０００８】
代替的な方法において、国際公開第２０１３／０２４２８０号パンフレットは、ワイドビームのマスクと組み合わせた使用して、印刷構造を画定することを開示する。これは、位置合わせの問題、及び追加の工程ステップを導入し、製造プロセスの速度を遅くする。
【発明の概要】
【発明が解決しようとする課題】
【０００９】
本発明は、小さい導電性トラックを基板上に生成する為の非接触方法を提供することを目的とする。この目的の為に、選択的な材料堆積の為の方法であって、第１の材料を基板上に堆積させることと、引き続き、１以上のエネルギービームにより、第１の固化パターンで選択的に該第１の材料を固化することと、引き続き、タイミング、エネルギー及び強度において制御された大面積フォトニック曝露（large  area  photonic  exposure）により、該基板から固化されていない材料を取り除いて、該第１の材料の該第１の固化パターンを残すことを含む上記方法が提供される。
【課題を解決するための手段】
【００１０】
提案される方法において、第１の材料が、最初に該材料を転写することなく固化され、例えばトラックに焼結される。これによって、基板上の該トラックの位置は、エネルギービームが該基板上に集束される点にのみ依存する。引き続き、固化されていない材料は、大面積フラッシュフォトニック曝露によって取り除かれる。欧州特許第２８８３７０９号明細書及び国際公開第２０１３／０２４２８０号パンフレットとは対照的に、トラックの形成後に、望ましくない材料を基板から移動させる為に高エネルギーのフラッシュ曝露が使用される。対照的に、欧州特許第２８８３７０９号明細書は、基板に接着する為に材料を該基板に転写することによってトラックを形成する。その上、欧州特許第２８８３７０９号明細書及び国際公開第２０１３／０２４２８０号パンフレットは、追加のマスク又は走査レーザビームを使用して転写エネルギーからトラックを保護することによってのみ、所望の材料を転写することができる。対照的に、該提案された方法は、追加のマスクを必要としない。本発明は、所望の固化パターンの基板への接着に依存して、それが該基板から離れて転写されることを防止する。例えば、第１の材料が基板上に堆積され、そして例えば５マイクロメートル未満の微細な線を刻む１以上のエネルギービームによって、固化パターンに選択的に固化される。該第１の材料の所望の固化したパターンを残すようにエネルギー、タイミング及び強度において制御された大面積（バルク）フォトニック曝露によって、固化されていない材料が該基板から離れるように移動される。
【００１１】
固化されていない材料のフラッシュによる移動中に、所望の固化パターンが基板上に残るかどうかは、すでに焼結されているパターンがどのくらいの密度であるかに応じて、所望のパターンに分散されるエネルギーの量によって制御されうる。それはまた、転写中に該固化されていない材料が、該所望の固化パターンに加える接着力の大きさに依存しうる。焼結されるパターンの密度は、レーザ出力を増大させるか、又はレーザスポットの移動スピードを遅くし、それによって焼結される該パターン上の特定の点に該レーザスポットが方向付けられる時間を永くするかのいずれかによって、焼結ステップのエネルギーレベルを増大させることによって高くすることができる。該所望のパターンを予備焼結する為に必要な時間を最小に抑える為の選択肢は、該所望のパターンのトラックの縁を、該パターンのトラックの中央よりもより顕著に予備焼結することである。これにより、所望のトラックは、移動される固化されていない材料の剥がし力から、該トラックの該縁において最も効率的に保護される。
【００１２】
該固化されていない材料を該基板から移動させる間に、力が該固化パターンに加えられる。この力は、該基板から離れるように移動される固化されていない材料のばらばら効果によって引き起こされる。任意的に、この力は、該固化されていない材料をより小さい部分にばらばらにするように導いて、それによって、所望の固化トラックの縁に接触している移動して離れていく材料の勢いによって加えられる力を低減することによって、低減されることができる。これは、パターンを囲む、例えば部分的に形に沿った、第２の固化パターンを追加して、固化されていない材料を移動時にばらばらにすることによって、実現されることができる。該第２のパターンは、例えば、共形の線、破線、若しくは点線、又は所望の第１の固化パターンの近くで移動される大きい表面を小さい面積にばらばらにできる任意の形状でありうる。
【００１３】
任意的に、所望のトラックの主配向に対して垂直な縁面積の量が最小に抑えられ、それによって平均化された力が経時的に提供されるような方法で、トラックの縁を設計することによって、移動される固化されていない材料が所望の固化パターンに加える力を低減することがまた可能である。これは、例えばトラックにノッチ付き設計を与えることによって得られることができ、幾つかの代替形態、例えば、のこ歯状、歯状、のこぎり歯状、又は歯型の設計、が利用可能である。
【００１４】
追加的に又は代替的に、最初の第１の材料をどのように堆積させるかを選択することがまた可能である。これは、例えばカーテンコーティングされた、又は任意の他の好適なバルク堆積手段によって、バルクで行われることができる。代替的には、該第１の材料は、例えばインクジェットプリンタなどの液滴堆積技法によって選択的に堆積させることができ、それによって、該基板から離れるように移動されるべき固化されていない材料の量がすでに最小化されている。
【図面の簡単な説明】
【００１５】
【図１Ａ】図１Ａは、固化されていない材料の層におけるエネルギービームによる固化を示す図である。ここで、該材料はバルクで堆積された。
【図１Ｂ】図１Ｂは、固化されていない材料の層におけるエネルギービームを用いた固化を示す図である。ここで、該材料はバルクで堆積された。
【図１Ｃ】図１Ｃは、固化されていない材料の層におけるエネルギービームを用いた固化を示す図である。ここで、該材料はバルクで堆積された。
【図２Ａ】図２Ａは、固化されていない材料のトラックにおけるエネルギービームによる固化を示す図である。ここで、該材料は、固化パターンの所望される場所だけに選択的に堆積された。
【図２Ｂ】図２Ｂは、固化されていない材料のトラックにおけるエネルギービームによる固化を示す図である。ここで、該材料は、固化パターンの所望される場所だけに選択的に堆積された。
【図２Ｃ】図２Ｃは、固化されていない材料のトラックにおけるエネルギービームによる固化を示す図である。ここで、該材料は、固化パターンの所望される場所だけに選択的に堆積された。
【図３Ａ】図３Ａは、第１の固化パターンの例を示す図である。
【図３Ｂ】図３Ｂは、第１の固化パターン、及び該第１の固化パターンを囲む線の形の相補的な第２の固化パターンの例を示す図である。
【図３Ｃ】図３Ｃは、第１の固化パターン、及び該第１の固化パターンを囲む点線の形の相補的な第２の固化パターンの例を示す図である。
【図４Ａ】図４Ａは、相対的に互いに近い部分と遠い部分とを有する第１の固化パターンの例を示す図である。
【図４Ｂ】図４Ｂは、相対的に互いに近い部分と遠い部分とを有する第１の固化パターン、及び該第１の固化パターンを囲む線の形の相補的な第２の固化パターンの例を示す図である。
【図４Ｃ】図４Ｃは、相対的に互いに近い部分と遠い部分とを有する第１の固化パターン、及び該第１の固化パターンを囲む点線の形の相補的な第２の固化パターンの例を示す図である。
【図５Ａ】図５Ａは、複数の細部を有する、より複雑な例示的な固化パターンを示す図である。
【図５Ｂ】図５Ｂは、複数の細部を有する、より複雑な例示的な固化パターン、及び第１の固化パターンを囲む線の形の相補的な第２の固化パターンを示す図である。
【図５Ｃ】図５Ｃは、複数の細部を有する、より複雑な例示的な固化パターン、及び第１の固化パターンを囲む点線の形の相補的な第２の固化パターンを示す図である。
【図６】図６は、第１の固化パターンの例を示す図である。拡大部分は、該第１の固化パターンの縁構造を詳細に表し、鋭利な、のこぎり歯状プロファイルを示す。
【図７】図７は、第１の固化パターンの例を示す図である。拡大部分は、該第１の固化パターンの縁構造を詳細に表し、より丸みのある縁プロファイルを示す。
【図８】図８は、基板の別の例を示す。
【発明を実施するための形態】
【００１６】
ある特定の例示的な実施態様の下記の詳細な説明は、単に例示的な性質であり、本発明、その用途、又は使用法を決して限定するものではない。それ故に、この説明は限定する意味で受け取られるべきではなく、本システムの範囲は、添付の特許請求の範囲によってのみ定義される。発明の詳細な説明において、その一部を形成する添付図面を参照し、この図面では、記載されているデバイス及び方法を実施されうる具体的な実施態様が例として示されている。これらの実施態様は、ここに開示するシステム及び方法を当業者が実施できるようにする為に十分詳細に記載されており、このシステムの趣旨及び範囲から逸脱することなく、他の実施態様が利用されてもよいこと、並びに構造的及び論理的な変更が行われてもよいことが理解されるべきである。さらに、わかりやすくする為に、周知のデバイス及び方法の詳細な説明が、このシステムの説明を不明瞭にしないように、省略されている。
【００１７】
図１は、関与するプロセス工程のうちの幾つかの模式的概要を示す。図１Ａにおいて、第１の材料１００２が基板１００１上に堆積され、これは、例えば該基板の全表面にわたりカーテンコータによってバルクで行われることができ、又は例えば、所望の第１のパターンが生成されるべき基板のサブ部分に対して、断続的なコーティング技法を使用して行われることができる。引き続き、エネルギービーム１００３が該第１の材料に方向付けられ、且つ該所望の第１のパターンを選択的に固化させる。本明細書において、該エネルギービームの動きが、矢印１００５によって描かれており、第１の固化パターン１００４を生成する。図１Ｂは、この事例では、簡単な、固化されたトラック１００４によって模式的に表される第１のパターン全体を、該エネルギービームが固化させたときの状況を示す。固化されていない材料１００６が、該基板上にまだ存在している。図１Ｃは、同じ基板１００１をここではわずかに異なる向きで示しており、ここで、大面積フォトニック曝露１００７が生成されて、その結果、固化されていない材料１００６が基板１００１から離れるように移動され、第１の固化パターン１００４を基板１００１上に残す。
【００１８】
大面積フォトニック曝露を使用することにより、この大面積フォトニック曝露によって曝露される面積における固化されていない材料全てが、一度に移されることになる故に、該固化されていない材料を効率的に取り除くことが可能になる。該第１の固化パターンを該基板に維持することが所望される故に、該大面積フォトニック曝露は、該固化されていない材料全体を表面から離れるように移動できるようにする為に十分に均一である必要があるが、該第１の固化パターンを剥離させるほど強力であってはならない。幾つかのタイプの大面積フォトニック曝露システム、例えばキセノンランプを使用したフラッシュシステム、又はＬＥＤベースのシステム、が存在する。パターニングされるべき構造のサイズ、及び求められる均一性に応じて、単一のフラッシュユニットが該基板をカバーできる場合もあり、又は、該基板をカバーする為に複数のフラッシュユニットが必要とされる。固化されていない材料を取り除く必要のある基板の所望部分をカバーできるようにする為に、大面積フォトニック曝露は単一の光源に限定されず、大面積フォトニック曝露を生成する複数の光源の組み合わせであることができる。幾つかの実施態様では、処理される基板はサイズが限定され、該大面積フォトニック曝露を使用してその全体がフォトニック曝露されることができる。幾つかの実施態様では、例えばロールツーロール工程を使用するときなど、該基板が非常に大きくなることを想像でき、この場合、フォトニック曝露は、処理中の基板のうちの固化されていない材料を取り除くことが必要な面積に方向付けられる。これに関して、「大面積フォトニック曝露」は、画像化されたパターンを提供する為の具体的なパターニングを有していない可視及び近可視の波長の電磁放射に対する曝露である。対照的に、電磁放射は、おおよそ第１の固化パターンの典型的な長さ若しくは面積量である典型的な面積、又はそれより大きい面積で、基板の面積曝露を提供する。例えば、大面積フォトニック曝露は、第１の固化パターンの線パターンの線幅の少なくとも２〜１０倍、又はそれよりはるかに大きい領域を曝露することができる。
【００１９】
より具体的には、第１の固化パターンを固化させる為のエネルギービームは、高度に定義されたパターンの特徴を固化させる為に、典型的には、１〜２５０ミクロン、好ましくは２〜１００ミクロン、さらにより好ましくは２〜２５ミクロン、のスポットサイズを有する。該大面積フォトニック曝露は、固化されていない材料を表面から取り除くことができる。該大面積フォトニック曝露によりフォトニック曝露される表面積は、典型的には、第１の固化パターンを固化させる為に単一のエネルギービームによりフォトニック曝露される表面積の、少なくとも１００倍より大きく、好ましくは１０００倍よりさえも大きい。
【００２０】
図１と同様に図２は、関与するプロセス工程のうちの幾つかの模式的概要を提供する。しかしながら、この場合、第１の材料の堆積は、所望のパターンが生成されるべきである全面積を単にコーティングすることによって行われず、しかし、より選択的な材料堆積技法によって行われ、例えば、液滴堆積技法、例えばインクジェット印刷、分配、又はＬＩＦＴ、を使用することによって行われる。該第１の材料の該堆積は、該所望のパターンにすでに近いような様式で行われることができる。現在の選択的な堆積技法は、特徴を所望の解像度で生成することができない故に、基板２００１に選択的に堆積されてきた第１の材料２００２は、その後、第１の固化パターンを形成するようにエネルギービーム２００３によって固化される。本明細書において、該エネルギービームの動きが、矢印２００５によって描かれている。図２Ｂに示されている通り、残りの、固化されていない材料２００６は、選択的な堆積技法を使用することによって著しく減少する。図２Ｃは、同じ基板２００１をここではわずかに異なる向きで示しており、ここで、大面積フォトニック曝露２００７が生成されて、その結果、固化されていない材料２００６が基板２００１から離れるように移動され、第１の固化パターン２００４を基板２００１上に残す。
【００２１】
固化されていない材料の量を最小に抑えることが好ましく思われるが、インクジェット又は他の選択的堆積システム、例えばマイクロ投与、スプレー堆積、分配（dispensing）、又はＬＩＦＴの使用は常に可能なわけではない。これらの選択的な堆積システムは、それらが処理できる材料、例えば処理可能な最高許容粘度、に制限を課すことが多い。それ故に、第１のパターンの生成に必要な材料に依存して、バルク堆積又は選択的堆積が選択されることができる。
【００２２】
図３Ａは、第１の材料３００２によって覆われている基板３００１上の第１の固化パターン３００３の例を示す。先に記載されている通り、該第１の材料はまた、選択的に堆積されることができ、その結果、生成されるべきパターンにより一致して、該第１の材料で該基板を覆う。該固化されていない材料を該基板から移動させる場合に、丸で囲まれた領域３００４は、最初その全体が該基板から移動することになり、その結果、第１の固化パターン３００３にかかる剥離力が増大する。該第１の固化パターンの該基板への接着に依存して、これらの力は許容可能であり得、図３Ａに示されている通り、第１の固化パターンは、所望の第１の固化パターン３００３が基板３００１から剥離しないようにする為に十分であり得、その結果、所望の小さいトラックを生じる。
【００２３】
図３Ｂは、第１の固化パターン３００３と基板３００１との接着が不十分な場合の解決策を提供する。第１の固化パターン３００３に相補的な第２の固化パターン３００４を加えることによって、表面３００５から最初に移動する大面積が、第２の固化パターン３００４により、今ではより小さくなった表面積３００６からばらばらにされる。それ故に、該固化されていない材料は、サブ領域において該表面から移動されることになる。該第１の固化パターンに連結された、より小さいサブ領域３００６は、有意に低減した剥離力を第１の固化パターン３００３に及ぼす。これは、材料が基板に十分に本質的に接続していない場合に、微細なトラックを該基板に生成されることを可能にする。又は、これは、該固化されていない材料の移動に抵抗する為に十分な該基板への接着力を提供できないであろうさらに微細なトラックがまた生成されることを可能にする。
【００２４】
図３Ｂに示されている第２の固化パターンは、それが、第１の固化パターンを囲む連続した共形のトラック（conformal  track）であることを示す。しかしながら、これは図３Ｃに示されている通り必須でなく、所望の保護はまた、破線又は点線３００７のような非連続的な構造によって提供されることができる。該第１の固化パターンの縁に領域３００４が届かないようにする任意の構造で十分である。該固化パターンの主縁に対して垂直に測定された、該第１の固化パターンから該第２のパターンへの距離３００８は、好ましくは０．１〜５００ミクロン、より好ましくは３〜２００ミクロン、さらに好ましくは５〜１００ミクロン、である。
【００２５】
第１のパターンの縁から、固化されていない領域とコーティングされていない領域との間の縁までの距離が、十分に短い場合、例えば第２の固化パターンからの所望の距離が好ましくはそれと同じような距離になるであろう場合には、これらの領域は、その領域に第２の保護パターンを必要とすらしなくてもよい。それ故に、該第２の固化パターンは、該第１の固化パターン全体を囲む必要はなく、該第１の固化材料につながっている固化されていない材料が過剰に存在する場合にのみ必要である。
【００２６】
図４は、第１の材料４００２を提供された基板４００１の別の例を提供し、ここで、第１の固化パターン４００３が描かれている。ここで、平行な３つのトラック４０１、４０２、及び４０３を有する第１の固化パターンの例が示されている。これらのトラックはある距離で平行であるが、トラック４０１と４０２との縁間の距離は相対的に短く、トラック４０２と４０３との間の距離は、より長くなるように設計されている。これは、該第２の固化パターンの必要性が、該第１の固化パターンに隣接した移動されるべき固化されていない材料の量に依存することの例を提供する。トラック４０２と４０３との間には、図４Ｂ及び図４Ｃに示されている通り第２の固化パターンを提供する必要がありうる。両方のトラック間の固化されていない材料の量が限られている故に、トラック４０１と４０２との間に第２の固化パターンを提供する必要性はない。中間の第２の固化パターンを必要としない、第１の固化パターン内のトラック間の許容可能な距離は、該基板に対する固化パターンの接着力、並びに所望の固化パターンの該トラックの幅に依存して異なる。該トラックの幅が狭いほど、トラック全体の接着が弱くなり、それ故に、該第１の固化パターン内のトラック間の距離が短いほど、第２の固化パターンをなしにしうる。
【００２７】
該第１の固化パターン内の２つのトラック間の距離４０が２００ミクロン未満、より好ましくは５０ミクロン未満、さらに好ましくは２０ミクロン未満、のである場合には、それらの間に第２の固化パターンを加える必要はない。
【００２８】
前に述べられている通り、固化されていない材料の移動中に第１の固化材料が基板から剥離するのを防ぐ為に十分なほど、第１の固化パターンと該基板との接着が強い場合には、第２の固化パターンは全く必要でなくてもよい。該第１の固化パターンが相対的に粗い特徴部と、幾つかの繊細な特徴部とを有する場合、該固化されていない材料の移動中に該粗い特徴部を該基板に残す為の追加の保護を、該粗い特徴部が必要としないことから、第２の固化パターンはおそらく繊細な特徴部の近くにのみ必要とされることを理解することができる。
【００２９】
図４Ｂ及び図４Ｃにおいてまた、例えば連続したパターン、すなわち第２の固化パターン４００４を形成する為の線、と、断続的なパターン、すなわち破線又は点線４００５、とが区別されている。つながっていない破線又は点線の変形形態４００５の利点は、これらの構造が接続されておらず、それ故に、これらの構造が基板に残っている場合に電流を導けないことである。
【００３０】
上に述べた破線又は点線の例は、移動中に固化されていない材料がばらばらになることになる任意の好適な形状であってもよいことが、注目される。同じことが、連続した第２の固化パターンにも当てはまる。それは、ほんの数ミクロンの幅の線とすることができ、これは移動中に該固化されていない材料をばらばらにするが、基板に残るほど十分には表面に接着しておらず、それ故に、該ばらばらにした固化されていない材料とともに離れるように移動される。それ故に、該二次的固化材料の設計は、該固化されていない材料の移動中に該基板に残るように最適化されるか、この移動段階中に剥離され、なお該固化されていない材料を分離するが、該表面には残らないように最適化されるかのいずれかとすることができる。第２の固化パターンの表面積を変えることによって、又は代替的に、例えば該第２の固化パターンの硬化強度を変えることによって該第２の固化パターンの該基板に対する接着力を変えることによって、このバランスに到達することができる。代替的には、該第２の固化パターンが該基板に残ることが所望される場合には、該第２の固化パターンの縁が、より強く硬化されることができ、又は第１の固化パターンに関して図６及び図７に示されている通り、パターンに加えられる力を平均化するようなやり方で設計されることができる。
【００３１】
図５はより複雑な例を示す。図５Ａは、第１の材料５００２によって覆われている基板５００１上の第１の固化パターン５００３の例を示す。固化されていない材料の移動中に第１の固化材料が該基板から剥離するのを防ぐ為に十分なほど、該第１の固化パターンと基板４００１との接着が強い場合には、これは機能的パターンとすることができる。しかしながら、これが十分に当てはまらない場合、図５Ｂ及び図５Ｃが、重要な場所に加えられる第２の固化パターンを示す。第１の固化パターン５００３の相対的に堅牢な主部分５００は、該固化されていない材料の移動中に該基板に残る為に十分な接着表面を有し、それ故に保護する為の特定の第２の固化パターンは必要ない。より小さいトラック５０１は追加の保護を必要としうるが、１つの側部において主部分５００につながっており、２つの側部には、それに隣接した固化されていない材料がほとんどない。それ故に、これらの側部では第２の固化パターンは必要ない。しかしながら、下部には過剰な除去力をもたらしうる固化されていない材料の大面積が存在し、第２の固化パターン５０４が所望される。
【００３２】
主部分５００の他方の側部には、第２の固化パターン５０６によって保護されることができる繊細なトラック５０２がある。
【００３３】
その上、示されている２つのトラック５０３の組み合わせがある。これらのトラックは互いに近くに配置されており、それ故にこれらの間に第２の固化パターンは必要ないが、それらのサイズに起因して、周りを囲む第２の固化パターン５０７を加える必要がありうる。保護される該トラックと該第２の固化パターンとの間の距離は、保護される該トラックの幅に依存して異なっていてもよく、保護を必要とする該トラックが細く繊細なほど、保護される該トラックの近くにより密接して該第２の固化パターンが配置されて、それに隣接した固化されていない材料の量を最小に抑えることに、注目することができる。図５Ｃは、図５Ｂに示されている構造に類似した構造を示すが、ここでは点線の形の代替的な第２の固化パターンを使用する。述べられている通り、固化されていない材料の大面積を分離する為に好適な任意の形状、例えば点、円、線のトラック、ひし形、三角形、八角形、多角形、任意のランダムな形状、が有用である。
【００３４】
図６及び図７は、第１の材料６００２、７００２を提供された基板６００１、７００１の別の例を示し、ここで、第１の固化パターン６００３、７００３が描かれている。ここで、拡大部分６０、７０が与えられており、第１の固化パターン６００３、７００３の縁をより詳細に示す。図６において、縁は真っ直ぐな線ではなく、この例ではのこぎり歯状プロファイル６０１であるノッチを有する。図７において示されている通り、また、異なるプロファイル、例えばより丸みのある縁７０１、が適用されることができる。
【００３５】
図６において、破線６１が示されており、それはのこぎり歯状プロファイルがなければ、論理的にはトラックの縁であったものである。矢印６２、６３及び６４は、固化されていない材料の移動から生じる衝撃波が第１の固化パターンに近づいてくる主方向を示す。該縁にプロファイルが存在しなければ、矢印６２とともに進む該衝撃波は、真っ直ぐな縁の幅全体にわたってほぼ同時にその縁にぶつかり、トラックに加えられる高いピーク力をもたらす。矢印６３及び６４の方向に進む衝撃波についても同じことが当てはまる。図６及び図７に示されている通りノッチ、例えばのこぎり歯状構造、丸みのある構造、又はスパイク状構造、を使用してプロファイルを調節することによって、衝撃波が、これらの構造の頂部に最初にぶつかり、さらにより凹んだ固化パターンに向かってさらに進み、それにより該衝撃波が該縁に接触する接触時間を永くし、それにより該トラックに加えられる力が平均化される。これにより、より長いが、著しく低い力が該トラックに加えられることになる。加えられる該力が、表面に対する該トラックの閾値保持力よりも低く保たれる場合には、該第１の固化パターンは、該表面から剥がされることなく、所望される通りに該基板に残ることになる。ここで該例は、のこぎり歯状及び丸みのある縁プロファイルを示すが、主縁の線６１に垂直な方向に動く外側縁を提供する任意の縁プロファイルがこの保護を実現できることを理解することができる。鋭利なノッチ、丸みのあるノッチ、又はそれら両方の組み合わせを使用して設計された縁プロファイルが、所望の結果を与える。
【００３６】
上の例は、ノッチ付き縁を有する第１の固化パターンを示し、また、第２の固化パターンが、同様のノッチ付き縁を有するように設計されることができる。例えば、固化されていない材料の移動中にパターンが解放される瞬間を制御するように、又は要素若しくは第２のパターン全体を表面に残すように、設計されることができる。
【００３７】
図８は、第１の材料８００２を提供された基板８００１の別の例を示し、ここで、第１の固化パターン８００３が描かれている。ここで拡大部分８０が与えられており、該第１の固化パターンの一部分をより詳細に示す。
【００３８】
縁プロファイルの代わりに、トラックのコア８０２よりも縁部分８０１をより過酷に焼結することを選択することができ、この場合も、固化されていない材料の移動中に該トラックが剥がれないように保護される。該トラックの縁部分８０１が剥がれなければ、該固化したトラックの残りの部分も該基板に残ることになる。より過酷に硬化又は焼結されるべき該縁部分の幅８１１は、典型的には１〜３０ミクロン、より好ましくは２〜２５ミクロン、さらにより好ましくは２〜１０ミクロン、である。細いトラック、例えば８ミクロン幅、を生成するときでも、２ミクロンの縁部分が、なお著しい工程速度の最適化をもたらすことができる。なぜなら、該トラックの１／２だけをより強く硬化させればよく、その一方で、該固化されていない材料の移動中に該第１の固化パターンが剥がれるのを防ぐ為に十分な接着強度を、パターンの縁に生じさせることができるからである。
【００３９】
この技法は、必要に応じて、該第１の固化パターンだけでなく、第２の固化パターンにも適用されることができる。
【００４０】
該固化されていない材料の移動中に該第１の固化パターンに対する影響を最小に抑える為に、使用される大面積フォトニック曝露がまた調節されることができる。例えば、該第１の固化パターンにかかる力をまた平均化する為に、複数のフラッシュを使用することがまた可能であり、例えば、同じ移動の結果を得る為に二重のフラッシュ又は低強度の多数のフラッシュを使用し、しかし、該第１の固化パターンに加えられるピーク力の強度が低い状態である。使用されることができる典型的なフラッシュのタイプは、３〜５９ｋＷ／ｃｍ２の強度、及び１μｓ〜１０ミリ秒のパルス幅を有する。これらのフラッシュにおいて存在する典型的な波長は、３００〜１２００ｎｍである。
【００４１】
移動ミラーが、エネルギービームを基板に方向付ける為に好適であり得、代替的には、プリズム、ポリゴン、又は透過ポリゴンが、該エネルギービームを該基板に方向付ける為に使用されることができる。
【００４２】
該第１の固化パターンを固化させる為に必要な強度及び波長に依存して、異なるタイプのエネルギー源、例えば、慣用的なレーザ源、ダイオードレーザ、ＬＥＤ、電子ビーム、キセノンランプ、が使用されることができる。
【００４３】
該固化されていない材料の移動中に該第１の固化パターンが該基板に残るのに十分な程度だけ、該第１の固化パターンを部分的にのみ固化させることがまた可能である。その後、他の焼結又は硬化の手段を使用して、オーブンでパターン全体を加熱することにより、又は代替的に、大面積フォトニック曝露システムを使用し、しかし、ここでは異なるパルス及び強度の設定を使用することによって、該第１の固化パターンをその最終構造にさらに固化させることができ、ここで、移動が達成されないが、なおトラックは十分に高いエネルギーレベルに曝露されて、所望される通りに完全に固化される。
【００４４】
構造の幾つかの部分が非常に繊細で、バルクフォトニック曝露を使用して、固化されていない材料を除去できない場合、所望の固化パターンの固化に使用されるエネルギー源であるが、ここでは、該固化されていない材料が基板から取り除かれる、表面から除去されること、又は表面から離れるように移動されることのいずれかになるパルス幅を使用するエネルギー源を使用することによって、これらの領域から該固化されていない材料を取り除くことがまた可能である。
【００４５】
これは、任意的に、該固化されていない材料のそれほど重要ではない部分を取り除く為の大面積フォトニック曝露の前に実行されることができる。
【００４６】
図１及び図２の例において、エネルギービームとバルクフォトニック曝露は、基板の異なる側から方向付けられているように示されている。これは必須ではなく、エネルギービーム１００３、２００３がまた、他方の側からパターンを固化する該基板を通るように方向付けられうる。
【００４７】
材料の固化は、焼結固化とすることができ、ここで、溶媒が気化され、且つ該材料に存在しうる粒子が互いに焼結されて導電性トラックを得る。しかし、また、異なるタイプの固化、例えば特定の波長に曝露されている間に重合するＵＶ硬化又は光硬化の組成物、又は、他のエネルギービームに感応性のある組成物が企図されることができる。
【００４８】
これらの場合には、特定のスペクトルフィルタをフラッシュユニットに追加して、該基板から移動されることになる該固化されていない材料をフラッシュが固化しないようにすることがまた可能である。該フラッシュは、該材料を即座に取り除くことになり、該材料がこのように接着する時間はないが、取り除かれた該材料は、有意な劣化なしに再利用されうる。
【００４９】
離れるように移動された該固化されていない材料は、移動方向に配置された表面又は溝で回収されることができる。それ故に、回収された該材料は再利用されることができる。
【００５０】
第２の固化パターンは、基板の固化されていない材料の移動中に、該固化されていない材料の大面積をばらばらにするように設計される。該第２の固化パターンの寸法及び固化状態に応じて、該パターンは該基板に残ることになるが、該第２の固化パターンは、犠牲パターンとしても設計されることができ、これは、該固化されていない材料の移動中に移動する該固化されていない材料により剥がされることになり、それ故に移動される該固化されていない材料をばらばらにすることを引き起こすことになるが、該基板上に残らない。
【００５１】
後者の場合には、離れるように移動される該固化されていない材料は、なお再利用の為に回収されることができるが、該第２の固化パターンから固化材料部分を取り除く為に、濾過が必要になることがある。
【００５２】
最後に、上の議論は、本システムの単なる例証であることが意図されており、添付の特許請求の範囲を、いずれかの特定の実施態様又は実施態様のグループに限定するものとみなされるべきではない。従って、本システムは、その具体的な例示的実施態様を参照しながら特に詳細に記載されてきたが、添付の特許請求の範囲に述べられる本システムの広い、意図された趣旨及び範囲から逸脱することなく、当業者によって、多数の修正及び代替的な実施態様が企図されてもよいことも理解されるべきである。従って、本明細書及び図面は、例示的なやり方で認識され、添付の特許請求の範囲に記載の範囲を限定するものではない。
【００５３】
添付の特許請求の範囲を解釈する際、「備える（ｃｏｍｐｒｉｓｉｎｇ）」という語は、所与の請求項に列挙されたもの以外の他の要素又は行為の存在を除外せず、ある要素の前にある「ａ」又は「ａｎ」という語は、複数のそうした要素の存在を除外せず、特許請求の範囲における任意の参照符号は、それらの範囲を限定せず、幾つかの「手段」は、同じ若しくは異なる項目、又は実装された構造、若しくは機能によって表されてもよく、開示されたデバイス又はその一部分のいずれかは、別段の明示的な記載のない限り、互いに組み合わされてもよく、又はさらなる部分に分割されてもよく、明示的な指示のない限り、行為又はステップのいかなる具体的な順序も、必須であるとは意図されず、明示的な指示のない限り、要素のいかなる具体的な順番も、必須であるとは意図されないことが、理解されるべきである。
【図１Ａ】
2021513677.tif 000002
【図１Ｂ】
2021513677.tif 000003
【図１Ｃ】
2021513677.tif 000004
【図２Ａ】
2021513677.tif 000005
【図２Ｂ】
2021513677.tif 000006
【図２Ｃ】
2021513677.tif 000007
【図３Ａ】
2021513677.tif 000008
【図３Ｂ】
2021513677.tif 000009
【図３Ｃ】
2021513677.tif 000010
【図４Ａ】
2021513677.tif 000011
【図４Ｂ】
2021513677.tif 000012
【図４Ｃ】
2021513677.tif 000013
【図５Ａ】
2021513677.tif 000014
【図５Ｂ】
2021513677.tif 000015
【図５Ｃ】
2021513677.tif 000016
【図６】
2021513677.tif 000017
【図７】
2021513677.tif 000018
【図８】
2021513677.tif 000019
【国際調査報告】
2021513677.tif 000020
2021513677.tif 000021
2021513677.tif 000022